(57)【要約】【課題】構造が簡単で、吊り具の掛け止め掛け外し作業を効率化できる自動式吊り具を提供する。【解決手段】鉤状に屈曲した吊り具本体１１と、吊り具本体１１の頂部に一体的に連接され吊り具本体１１の屈曲方向と同一向きに屈曲したバランスウェイト部１２とを有し、吊り具本体１１とバランスウェイト部１２の中間には、支持ピン１６が回転可能に嵌入する軸孔１７が設けられている。そして、支持ピン１６はシャックル１８の連結ピンであって、シャックル１８を介して昇降用ワイヤロープ２１に連結される。【選択図】図１
0003124695.tif 000002
【実用新案登録請求の範囲】
【請求項１】
鉤状に屈曲した吊り具本体と、該吊り具本体の頂部に一体的に連接され前記吊り具本体の屈曲方向と同一向きに屈曲したバランスウェイト部とを有し、前記吊り具本体と前記バランスウェイト部の中間には、支持ピンが回転可能に嵌入する軸孔が設けられていることを特徴とする自動式吊り具。
【請求項２】
請求項１記載の自動式吊り具において、前記支持ピンはシャックルの連結ピンであって、該シャックルを介して昇降用ワイヤロープに連結されることを特徴とする自動式吊り具。
【考案の詳細な説明】
【技術分野】
【０００１】
本考案は、例えば工場や港湾で、クレーン等で荷を吊り上げて移動させる際に使用し、積み荷がない状態で傾いている自動式吊り具に関する。
【背景技術】
【０００２】
従来、クレーンで荷を移動する場合には、鉤状に形成された吊り具が使用される。そして、荷側吊り環に吊り具を掛ける際に、吊り具の下部が干渉する場合や微小な位置調整が困難な場合は、吊り具を人力等により直接掛ける作業を必要とする。また、吊り具取り外し時にも同様に、吊り具を、人力等で直接取り外す作業が発生することがある。
そこで、特許文献１に記載のような吊り具が提案されている。この吊り具は、鉤の上端に雄ねじを形成して、半円状に屈曲した吊り環の下部に一体的に設けられた中空円盤の中央にナットで固定できるようにし、更に、鉤の上端にはバランスウェイトを設けて構成されている。これによって、吊り具をワイヤロープ等に吊り下げると、バランスウェイト（重錘）が作用して鉤が傾き、荷側吊り環に鉤を自動的に掛けることができる構造となっていた。
【０００３】
【特許文献１】特開平１０−８１４８３号公報
【考案の開示】
【考案が解決しようとする課題】
【０００４】
しかしながら、特許文献１に記載の吊り具は、部品点数が多く、構造が複雑であり、更には、ワイヤロープに対して半円状の吊り環の滑りが十分でない場合には、鉤の傾きが一定せず、場合によっては荷側の吊り環に掛止しにくいという問題があった。
また、バランスウェイトが将棋の駒状となって広い面積を有するので、斜め上部から鉤を見た場合、荷側の吊り環が隠れる場合があって、大型のクレーンなどに使用した場合、作業性が悪いという問題があった。
【課題を解決するための手段】
【０００５】
本考案では上記の欠点を解決し、構造が簡単で、掛け止め掛け外し作業の効率化ができる吊り具を提供しようとするものであり、その要旨は、鉤状に屈曲した吊り具本体と、該吊り具本体の頂部に一体的に連接され前記吊り具本体の屈曲方向と同一向きに屈曲したバランスウェイト部とを有し、前記吊り具本体と前記バランスウェイト部の中間には、支持ピンが回転可能に嵌入する軸孔が設けられていることにある。
なお、本考案に係る自動式吊り具において、前記支持ピンはシャックルの連結ピンであって、該シャックルを介して昇降用ワイヤロープに連結されるものであってもよい。
【０００６】
本考案に係る自動式吊り具においては、吊り具本体に掛止される荷がない場合には、吊り具本体は、頂部に接続されたバランスウェイト部の働きにより、吊り具本体（鉤状部分）の開口部が、荷側の吊り環に対して開いているような位置で静止するので、吊り具本体の吊り環への挿入が容易となり、この自動式吊り具を吊り下げた状態で移動させることによって、又は荷の方を移動させることによって、吊り環に自動式吊り具を掛止できる。
そして、自動式吊り具を巻き上げた場合には、自動式吊り具は軸孔に装着されている支持ピンを中心にして回動し、その直下に吊り具本体が位置して確実に荷に設けられた吊り環を掛止できる。
次に、荷を下ろす場合には、自動式吊り具を下げていくと、荷が接地することによって、吊り具本体の荷重がなくなり、バランスウェイト部によって吊り具本体が回転し、吊り環から自動的に外し易いようになり、この自動式吊り具を所定方向に横移動又は荷をその逆方向に移動させることによって、吊り具本体から吊り環が外れることになる。このため、吊り具の取り外し作業が容易になる。
【考案の効果】
【０００７】
以上のように本考案に係る自動式吊り具は、荷の移動時に行う吊り具を掛ける作業及び掛け外す作業を容易にする。
また、その構造が簡単で部品点数の少なく、荷重がかかる部分にねじ機構等を用いていないので、信頼性の高い吊り具となる。
【考案を実施するための最良の形態】
【０００８】
続いて、添付した図面を参照し、本考案を具体化した一実施の形態に係る自動式吊り具について説明し、本考案の理解に供する。
ここに、図１は本考案の一実施の形態に係る自動式吊り具の側面図、図２（Ａ）、（Ｂ）、（Ｃ）は同自動式吊り具の使用状態の説明図である。
【０００９】
図１に示すように、本考案の一実施の形態に係る自動式吊り具１０は、鉄又はステンレスの例えば鍛造物からなって、鉤状に屈曲した吊り具本体１１と、吊り具本体１１の頂部に一体的に連接されたバランスウェイト部１２とを有している。以下、これらについて詳しく説明する。
吊り具本体１１は通常のフックと同じくＪ字状に屈曲しているが、先側の鉤部１３の内側先部は側面視して直線状となっている。鉤部１３の内側中央部は円弧状に屈曲して、掛止しようとする吊り環が円滑に嵌入し、しかも鉤部１３の内側底部で止まるようになっている。
【００１０】
この吊り具本体１１の頂部には一体的にバランスウェイト部１２が連結されているが、このバランスウェイト部１２は、基側１４が吊り具本体１１に直線状に連結し、中間部でおり曲がった重量部位１５を有している。バランスウェイト部１２はこの実施の形態では直線状の部材を吊り具本体１１の鉤部１３の曲げ方向に約４０〜５０度に曲げて形成されている。吊り具本体１１とバランスウェイト部１２の連結部には支持ピン１６が回転可能に挿通する軸孔１７が設けている。そして、軸孔１７にシャックル１８の支持ピン１６を挿通し、このシャックル１８を昇降用ワイヤロープ２１等で吊り下げた場合、バランスウェイト部１２の重量によって、吊り具本体１１が垂直に対して４０〜５０度（例えば、約４５度）で傾くようになっている。この状態で、鉤部１３の内側直線がほぼ水平になり、荷側に設けられている吊り環に容易に嵌入できるようになっている。なお、支持ピン１６はこの実施の形態においてはシャックル１８の連結ピンを使用したが、別に設けたピンでその両側にＵ字状の金具を溶接したものであってもよい。
【００１１】
次に、図２を参照しながら、この自動式吊り具１０の使用方法及びその動作について説明する。
図２（Ａ）の状態で、荷１９の上部に吊り環２０が設けられている場合、昇降用ワイヤロープ２１で吊り下げた自動式吊り具１０を所定の高さに配置し、自動式吊り具１０を横移動、又は荷１９を横移動することによって、自動式吊り具１０の鉤部１３が吊り環２０に嵌入する。
【００１２】
この状態で、図２（Ｂ）に示すように、昇降用ワイヤロープ２１を引き上げると、自動式吊り具１０によって荷１９は引き上げられるが、荷１９の重心Ｐが軸孔１７の直下になるので、自動式吊り具１０は、吊り具本体１１が全体として垂直になるように回動する。これによって、鉤部１３の先側は上り傾斜となるので、吊り環２０は鉤部１３から容易に外れないことになる。
【００１３】
次に、昇降用ワイヤロープ２１を下げて荷１９を接地させた場合には、鉤部１３から吊り環２０が離れるので、自動式吊り具１０がバランスウェイト部１２の作用によって４０〜５０度程度傾く。この状態で、自動式吊り具１０又は荷１９を所定方向に移動させることによって、図２（Ｃ）に示すように、鉤部１３と吊り環２０の掛止状態を解くことになる。即ち、荷１９が接地して荷１９の荷重が解放されると、自動式吊り具１０全体が傾き、水平状態に外れ易い形状になると共に、垂直状態にも外れ易い形状になり、この自動式吊り具１０を自動的に外すことができる。
また、荷１９の荷重が解放され、この自動式吊り具１０の傾きが発生する瞬間に昇降用ワイヤロープ２１と自動式吊り具１０は自由開放状態になり、このときの慣性力によって自動式吊り具１０は吊り環２０より外れる方向に移動し、自動式吊り具１０は吊り環２０より外れる。昇降用ワイヤロープ２１と自動式吊り具１０は振れを起こし、ほとんどの場合、吊り環２０内に鉤部１３が入ることはなく、吊り環２０より外れた状態となる。従って、吊り環２０を設けた荷１９の掛止及び掛止状態を解くことを自動的に行うことが可能となる。
【００１４】
前記実施の形態においては、鉤部１３の内側先部は直線状であったが、通常のフックのように屈曲させてもよい。また、鉤部１３の内側掛止部に、吊り環２０が嵌入する溝を設けてもよく、これによって、吊り環２０が外れにくいという利点がある。
なお、荷に取付ける吊り環は円状のものだけでなく、例えば、逆Ｕ字状、逆三角状のいずれであってもよい。
【図面の簡単な説明】
【００１５】
【図１】本考案の一実施の形態に係る自動式吊り具の側面図である。
【図２】（Ａ）、（Ｂ）、（Ｃ）は同自動式吊り具の使用状態の説明図である。
【符号の説明】
【００１６】
１０：自動式吊り具、１１：吊り具本体、１２：バランスウェイト部、１３：鉤部、１４：基側、１５：重量部位、１６：支持ピン、１７：軸孔、１８：シャックル、１９：荷、２０：吊り環、２１：昇降用ワイヤロープ
【図１】
0003124695.tif 000003
【図２】
0003124695.tif 000004